(57)【要約】【課題】本発明は、汎用性を持たせ、またセキュリティ性の高いドアホンシステムを提供することを目的とする。【解決手段】本発明に係るドアホンシステム１００では、屋外子機３０、屋内子機２０、および中継親機１０を備えている。屋外子機３０は、屋外に設置されている。屋内子機２０は、屋外子機３０との間で映像データおよび／または音声データの送受信が可能であり、屋内に設置されている。また、中継親機１０は、屋内に設置されており、屋外子機３０と屋内子機２０との通信を中継する。さらに、中継親機１０は、ルータとして機能する。【選択図】  図１
2008124696.tif 000002
【特許請求の範囲】
【請求項１】
屋外に設置されている屋外子機と、
前記屋外子機との間で映像データおよび／または音声データの送受信が可能であり、屋内に設置されている屋内子機と、
前記屋内に設置されており、前記屋外子機と前記屋内子機との通信を中継する中継親機とを、備えており、
前記中継親機は、
ルータとして機能する、
ことを特徴とするドアホンシステム。
【請求項２】
前記中継親機は、
所定の条件を満たす場合に、前記屋内子機および／または前記屋外子機から受信した前記映像データを少なくとも、記録用データとして外部に送信することができるデータ送信部を、備えており、
前記中継親機が送信した前記記録用データを格納することができ、前記屋外の他の場所に設置されているサーバを、さらに備えている、
ことを特徴とする請求項１に記載のドアホンシステム。
【請求項３】
前記中継親機は、
前記記録用データを一時的に格納することが可能な記録部を、さらに備えている、
ことを特徴とする請求項２に記載のドアホンシステム。
【請求項４】
前記中継親機は、
前記記録部が所定量以上の前記記録用データを格納した場合に、前記記録部に格納されていた前記記録データを前記サーバに送信する、
ことを特徴とする請求項３に記載のドアホンシステム。
【請求項５】
前記中継親機は、
前記記録部に格納されていた前記記録用データを消去することが可能な消去手段を、さらに備えており、
前記中継親機は、
前記消去手段が操作された場合に、当該操作以前に前記記録部に格納されていた前記記録用データを、前記サーバに送信する、
ことを特徴とする請求項３に記載のドアホンシステム。
【請求項６】
前記記録部は、
前記記録用データを上書きすることができ、
前記中継親機は、
前記記録部の前記上書き開始前に、前記記録部に格納されていた前記記録用データを、前記サーバに送信する、
ことを特徴とする請求項３に記載のドアホンシステム。
【請求項７】
前記記録部は、
格納期間が長い前記記録用データから順次、前記消去または前記上書きすることができる、
ことを特徴とする請求項５または請求項６に記載のドアホンシステム。
【請求項８】
前記中継親機は、
前記記録用データの前記消去または前記上書きを行う場合には、前記記憶部における格納期間が所定の期間に満たない前記記録用データを、前記サーバに送信する、
ことを特徴とする請求項５ないし請求項７のいずれかに記載のドアホンシステム。
【請求項９】
前記中継親機は、
前記記録用データの前記消去または前記上書きを行う場合には、未だ再生されていていない前記記録用データを、前記サーバに送信する、
ことを特徴とする請求項５ないし請求項８のいずれかに記載のドアホンシステム。
【請求項１０】
前記中継親機は、
予め設定された所定の周期で前記上書きを行い、当該上書き開始前に、前記記録部に格納されていた前記記録用データを、前記サーバに送信する、
ことを特徴とする請求項６に記載のドアホンシステム。
【請求項１１】
前記屋外子機には、
前記屋外の様子を撮影することが可能であり、自機の異常を検知することが可能な異常検知センサを備えている、屋外カメラが少なくとも含まれており、
前記中継親機は、
前記異常検知センサの異常を検知したときに、当該検知後に取得した前記記録用データおよび当該検知以前に前記記録部に格納されていた前記記録用データを、前記サーバに送信する、
ことを特徴とする請求項３に記載のドアホンシステム。
【請求項１２】
前記中継親機は、
災害に関する緊急情報を外部から受信することが可能な外部情報受信部を、さらに備えており、
前記中継親機は、
前記外部情報受信部が前記緊急情報を受信した場合に、当該受信後に取得した前記記録用データおよび当該受信以前に前記記録部に格納されていた前記記録用データを、前記サーバに送信する、
ことを特徴とする請求項３に記載のドアホンシステム。
【請求項１３】
前記中継親機は、
所定の入力部を、さらに備えており、
前記中継親機は、
前記所定の入力部に対して入力操作が行われた場合に、当該入力操作以後に取得した前記記録用データを前記サーバに送信する、
ことを特徴とする請求項２または請求項３に記載のドアホンシステム。
【請求項１４】
前記中継親機が複数存在し、各前記中継親機に対応してネットワークが各々形成されており、
前記屋内子機は、
ＩＰ電話機能を有する電話機能付屋内子機が、少なくとも含まれており、
所定の前記ネットワークに属する前記中継親機に、他の前記ネットワークに属する前記電話機能付屋内子機の登録を行うことができる、
ことを特徴とする請求項１に記載のドアホンシステム。
【発明の詳細な説明】
【技術分野】
【０００１】
この発明は、ドアホンシステムに係る発明である。
【背景技術】
【０００２】
従来より、訪問者が訪問したことを示す手段として使用されるドアホンシステムが活用されている。当該ドアホンシステムでは、屋外子機、屋内子機、および中継親機とで構成されており、屋外子機−中継親機間、および中継親機−屋内子機間とは有線で接続されている。
【０００３】
当該ドアホンシステムにおいて、訪問者が屋外子機を用いてチャイムを鳴らすと、これを認識した屋内のユーザは、中継親機または屋内子機を介して訪問者と通話を行う。このとき、ユーザは訪問者の映像を見ながら通話をすることもできる。
【発明の開示】
【発明が解決しようとする課題】
【０００４】
ところが、当該ドアホンシステムをいわゆる訪問者とユーザとの通話のみで使用するのではなく、当該ドアホンシステムに汎用性を持たせたいとの要望が出てきている。また、最近では防犯問題がよりクローズアップされているので、よりセキュリティ性の高いドアホンシステムの提供も望まれている。
【０００５】
そこで、本発明は、汎用性を持たせ、またセキュリティ性の高いドアホンシステムを提供することを目的とする。
【課題を解決するための手段】
【０００６】
上記の目的を達成するために、本発明に係る請求項１に記載のドアホンシステムは、屋外に設置されている屋外子機と、前記屋外子機との間で映像データおよび／または音声データの送受信が可能であり、屋内に設置されている屋内子機と、前記屋内に設置されており、前記屋外子機と前記屋内子機との通信を中継する中継親機とを、備えており、前記中継親機は、ルータとして機能する。
【０００７】
また、本発明に係る請求項２に記載のドアホンシステムは、請求項１に記載のドアホンシステムであって、前記中継親機は、所定の条件を満たす場合に、前記屋内子機および／または前記屋外子機から受信した前記映像データを少なくとも、記録用データとして外部に送信することができるデータ送信部を、備えており、前記中継親機が送信した前記記録用データを格納することができ、前記屋外の他の場所に設置されているサーバを、さらに備えている。
【０００８】
また、本発明に係る請求項３に記載のドアホンシステムは、請求項２に記載のドアホンシステムであって、前記中継親機は、前記記録用データを一時的に格納することが可能な記録部を、さらに備えている。
【０００９】
また、本発明に係る請求項４に記載のドアホンシステムは、請求項３に記載のドアホンシステムであって、前記中継親機は、前記記録部が所定量以上の前記記録用データを格納した場合に、前記記録部に格納されていた前記記録データを前記サーバに送信する。
【００１０】
また、本発明に係る請求項５に記載のドアホンシステムは、請求項３に記載のドアホンシステムであって、前記中継親機は、前記記録部に格納されていた前記記録用データを消去することが可能な消去手段を、さらに備えており、前記中継親機は、前記消去手段が操作された場合に、当該操作以前に前記記録部に格納されていた前記記録用データを、前記サーバに送信する。
【００１１】
また、本発明に係る請求項６に記載のドアホンシステムは、請求項３に記載のドアホンシステムであって、前記記録部は、前記記録用データを上書きすることができ、前記中継親機は、前記記録部の前記上書き開始前に、前記記録部に格納されていた前記記録用データを、前記サーバに送信する。
【００１２】
また、本発明に係る請求項７に記載のドアホンシステムは、請求項５または６に記載のドアホンシステムであって、前記記録部は、格納期間が長い前記記録用データから順次、前記消去または前記上書きすることができる。
【００１３】
また、本発明に係る請求項８に記載のドアホンシステムは、請求項５ないし請求項７のいずれかに記載のドアホンシステムであって、前記中継親機は、前記記録用データの前記消去または前記上書きを行う場合には、前記記憶部における格納期間が所定の期間に満たない前記記録用データを、前記サーバに送信する。
【００１４】
また、本発明に係る請求項９に記載のドアホンシステムは、請求項５ないし請求項８のいずれかに記載のドアホンシステムであって、前記中継親機は、前記記録用データの前記消去または前記上書きを行う場合には、未だ再生されていていない前記記録用データを、前記サーバに送信する。
【００１５】
また、本発明に係る請求項１０に記載のドアホンシステムは、請求項６に記載のドアホンシステムであって、前記中継親機は、予め設定された所定の周期で前記上書きを行い、当該上書き開始前に、前記記録部に格納されていた前記記録用データを、前記サーバに送信する。
【００１６】
また、本発明に係る請求項１１に記載のドアホンシステムは、請求項３に記載のドアホンシステムであって、前記屋外子機には、前記屋外の様子を撮影することが可能であり、自機の異常を検知することが可能な異常検知センサを備えている、屋外カメラが少なくとも含まれており、前記中継親機は、前記異常検知センサの異常を検知したときに、当該検知後に取得した前記記録用データおよび当該検知以前に前記記録部に格納されていた前記記録用データを、前記サーバに送信する。
【００１７】
また、本発明に係る請求項１２に記載のドアホンシステムは、請求項３に記載のドアホンシステムであって、前記中継親機は、災害に関する緊急情報を外部から受信することが可能な外部情報受信部を、さらに備えており、前記中継親機は、前記外部情報受信部が前記緊急情報を受信した場合に、当該受信後に取得した前記記録用データおよび当該受信以前に前記記録部に格納されていた前記記録用データを、前記サーバに送信する。
【００１８】
また、本発明に係る請求項１３に記載のドアホンシステムは、請求項２または請求項３に記載のドアホンシステムであって、前記中継親機は、所定の入力部を、さらに備えており、前記中継親機は、前記所定の入力部に対して入力操作が行われた場合に、当該入力操作以後に取得した前記記録用データを前記サーバに送信する。
【００１９】
また、本発明に係る請求項１４に記載のドアホンシステムは、請求項１に記載のドアホンシステムであって、前記中継親機が複数存在し、各前記中継親機に対応してネットワークが各々形成されており、前記屋内子機は、ＩＰ電話機能を有する電話機能付屋内子機が、少なくとも含まれており、所定の前記ネットワークに属する前記中継親機に、他の前記ネットワークに属する前記電話機能付屋内子機の登録を行うことができる。
【発明の効果】
【００２０】
本発明の請求項１に記載のドアホンシステムでは、中継親機は、ルータとして機能する。
【００２１】
したがって、ドアホンシステムと外部の他のネットワークとを接続することができる。これにより、ドアホンシステムに汎用性を持たせることができる。
【００２２】
また、本発明の請求項２に記載のドアホンシステムは、中継親機が所定の条件を満たす場合に送信した記録用データ（少なくとも映像データを含む）を格納することができ、屋外の他の場所に設置されているサーバを、さらに備えている。
【００２３】
したがって、たとえば上記所定の条件を防犯の観点から設定した場合には、防犯前後の映像データ等を、家屋等から離れたより安全な場所に設置されているサーバに格納できる。つまり、映像データ等をより安全に保持することができる。
【００２４】
また、本発明の請求項３に記載のドアホンシステムは、中継親機は、記録用データを一時的に格納することが可能な記録部を、さらに備えている。
【００２５】
したがって、家屋内に居ながらにしてユーザは、ある程度の量の映像データ等を再生等することができる。
【００２６】
また、本発明の請求項４に記載のドアホンシステムは、中継親機は、記録部が所定量以上の記録用データを格納した場合に、記録部に格納されていた記録データを前記サーバに送信する。
【００２７】
したがって、中継親機は、大容量記録部を有する必要がなくなる。よって、中継親機の小型化および製造コストの削減を図ることができる。
【００２８】
また、本発明の請求項５，６，１０に記載のドアホンシステムは、中継親機は、消去手段が操作された場合（または上書きが可能な場合）に、消去または上書き以前に記録部に格納されていた記録用データを、サーバに送信する。
【００２９】
ユーザが誤って消去手段を操作したとしても（または、上書き処理が開始されたとしても）、重要な記録用データの削除を防止することができる。
【００３０】
また、本発明の請求項７に記載のドアホンシステムは、記録部は、格納期間が長い記録用データから順次、消去または上書きすることができる。
【００３１】
したがって、比較的最近格納された記録データを記憶部に残すことができ、格納期間が長いものから、サーバに格納した上で、当該格納期間の長い記録用データの消去・上書きを行うことができる。
【００３２】
また、本発明に係る請求項８に記載のドアホンシステムは、中継親機は、記録用データの消去または上書きを行う場合には、記憶部における格納期間が所定の期間に満たない記録用データを、前記サーバに送信する。
【００３３】
したがって、古い記録用データをサーバに格納せず、新しい記録用データのみをサーバに格納しているので、サーバの容量の節約が可能となる。
【００３４】
また、本発明の請求項９に記載のドアホンシステムは、中継親機は、記録用データの消去または上書きを行う場合には、未だ再生されていていない記録用データを、サーバに送信する。
【００３５】
したがって、再生等する可能性が高い記録用データのみをサーバに格納することができる。
【００３６】
また、本発明に係る請求項１１に記載のドアホンシステムは、中継親機は、異常検知センサの異常を検知したときに、当該検知後に取得した記録用データおよび当該検知以前に記録部に格納されていた記録用データを、サーバに送信する。
【００３７】
したがって、異常検知センサ後の検知後に、たとえば泥棒が中継親機を破壊したとしても、異常検知前の映像データおよび、異常が発生していない他のカメラの映像データの確保を実行できる。つまり、後日の犯人の特定の可能性が非常に高くなる。当該犯罪の早期解決の観点において、ドアホンシステムのセキュリティ性の向上を図ることができる。
【００３８】
また、本発明に係る請求項１２に記載のドアホンシステムは、中継親機は、緊急情報を受信した場合に、当該受信後に取得した記録用データおよび当該受信以前に記録部に格納されていた記録用データを、サーバに送信する。
【００３９】
したがって、災害発生に起因して貴重な映像データ等を消失しないようにすることができる。
【００４０】
また、本発明に係る請求項１３に記載のドアホンシステムは、中継親機は、所定の入力部に対して入力操作が行われた場合に、当該入力操作以後に取得した記録用データをサーバに送信する。
【００４１】
したがって、たとえばユーザが長期間家を空ける場合に、当該ユーザが当該所定の入力部の入力操作を行えば、留守中の映像データ等を大容量のサーバに格納させることができる。
【００４２】
また、本発明に係る請求項１４に記載のドアホンシステムは、中継親機が複数存在し、各中継親機に対応してネットワークが各々形成されており、屋内子機は、ＩＰ電話機能を有する電話機能付屋内子機が、少なくとも含まれており、所定のネットワークに属する中継親機に、他のネットワークに属する電話機能付屋内子機の登録を行うことができる。
【００４３】
したがって、通常の訪問者との対応のためのドアホンとしての機能だけでなく、他のネットワーク（遠く離れた別家屋）のユーザとの通信も行えることができる。つまり、ドアホンシステムの汎用性が向上する。
【発明を実施するための最良の形態】
【００４４】
以下、この発明をその実施の形態を示す図面に基づいて具体的に説明する。
【００４５】
＜実施の形態１＞
本実施の形態に係るドアホンシステムの構成を図１に示す。本実施の形態に係るドアホンシステム１００は、中継親機１０がルータ機能を有していることが特徴である。以下、当該ドアホンシステム１００を詳細に説明する。
【００４６】
図１に示すように、ドアホンシステム１００は、中継親機１０、屋内子機２０、屋外子機３０から構成されている。
【００４７】
屋内子機２０は、家屋内に設置される、中継親機１０以外の通信モジュールである。また屋内子機２０は、後述する屋外子機３０との間で動画映像データ（以下、単に映像データと称する）および／または音声データの送受信を行うことができる。ここで、屋内子機２０として、たとえばハンディ子機２０ａ、屋内カメラ２０ｂ等がある。
【００４８】
ハンディ子機２０ａは持ち運び可能であり、屋外との通信・通話の目的のために使用される。またハンディ子機２０ａは表示部を有しており、各監視カメラ２０ｂ，３０ｂで撮影された映像が当該表示部に表示される。屋内監視カメラ２０ｂは、家屋内の所定の場所の映像を撮影することができる。なお、各屋内子機２０の数は、図１に示された数に限定する趣旨は無く、図１に示されている数以上配設されていても良い。
【００４９】
屋外子機３０は、家屋外に設置されている。当該屋外子機３０として、たとえば玄関子機３０ａや屋外カメラ３０ｂ等がある。
【００５０】
玄関子機３０ａは、通常玄関付近に設置されており、チャイム機能を有する。当該玄関子機３０ａを用いることにより、訪問者は、前記ハンディ子機２０ａ（または後述する中継親機１０）を使用する屋内の人物と、通話等を行うことができる。また、当該玄関子機３０ａはカメラが内蔵されており、訪問者を撮影することができる。屋外監視カメラ３０ｂは、家屋外の所定の場所の映像を撮影することができる。なお、各屋外子機３０の数は、図１に示された数に限定する趣旨は無く、図１に示されている数以上配設されていても良い。
【００５１】
中継親機１０は、家屋内に設置されており、屋内子機２０と屋外子機３０との通信を中継する。ここで、中継親機１０とハンディ子機２０ａとの間の通信プロトコルとして、無線ＬＡＮを採用できる。また図１では、中継親機１０と玄関子機３０ａとの接続は有線であるが、無線で接続しても良い。また、図１では、中継親機１０と各監視カメラ２０ｂ，３０ｂとの接続は無線であるが、有線で接続しても良い。
【００５２】
当該無線・有線の別や無線の通信プロトコルの別は、コストパフォーマンス（通信モジュールの機能、工事費等）に応じて適宜変更される。
【００５３】
また、図１には図示していないが中継親機１０が表示部や通信部を備え、他の子機２０，３０と通信・通話・映像表示等ができるように、当該中継親機１０を構成しても良い。また、中継親機１０は、記録部（図示せず）を備えていても良い。ここで、当該記録部には、屋内子機および／または屋外子機から送信された映像データおよび／または音声データが、記録用データとして記録される。
【００５４】
ここで、本発明において、記録用データとは、屋内子機２０（より具体的に屋内監視カメラ２０ｂ）および／または屋外子機３０（より具体的に玄関子機３０ａ屋外監視カメラ３０ｂ）から受信した映像データであり、サーバ５０や中継親機１０の記録部に記録させるためのデータである。また、各子機２０，３０から送信される音声データをも、記録用データとしてサーバ５０や中継親機１０の記録部に格納しても良い。
【００５５】
また、本実施の形態では中継親機１０は、ルータとして機能する。具体的に、当該中継親機１０は、図１に示されているドアホンシステム１００と異なる他の外部ネットワークとの接続を可能とする。また、中継親機１０は、優先経路を決定するルーティングを行うことができる。また、中継親機１０は、外部からのウィルスを含む信号を内部ネットワークに侵入することを防止する機能を有していても良い。なお、ルータの機能・定義は、周知なので、ここでの詳細な説明は省略する。
【００５６】
以上のように、本実施の形態に係るドアホンシステム１００では、中継親機１０は、ルータとして機能する。
【００５７】
したがって、ドアホンシステム１００と外部の他のネットワークとを接続することができる。これにより、ハンディ子機２０ａを用いて他のネットワークに存する端末と通信等を行うことができる（たとえば、一の家屋内で閉じているドアホンシステム１００のユーザと、他の家屋内で閉じているドアホンシステム１００のユーザとが、ハンディ子機２０ａを用いて通信できる）。また、実施の形態２で説明するように、中継親機１０と外部サーバとの接続を可能とすることができる。つまり、ドアホンシステム１００に外部ネットワークとの接続可能という汎用性を持たせることができる（ドアホンシステム１００の機能が飛躍的に向上する）。
【００５８】
＜実施の形態２＞
本実施の形態に係るドアホンシステム２００は、図２に示すように、図１に示した構成に、インターネットを介して接続されるサーバ５０が付加されている。
【００５９】
中継親機１０は、データ送信部（図示せず）を備えている。そして、中継親機１０は、所定の条件を満たす場合に、当該データ送信部を介して記録用データを外部に存するサーバ５０に対して送信する。
【００６０】
なお、当該記録用データは、中継親機１０が備える記録部に一時的に格納された後に、所定の条件を満たす場合にサーバ５０に送信されても良い。他方、所定の条件を満たす場合に、記録部を介さずに、直接サーバ５０に送信されても良い。
【００６１】
サーバ５０は、屋外の他の場所（たとえばデータセンタ）に設置されている。また、サーバ５０は、メモリ（図示せず）を有しており、中継親機１０から送信された記録用データを当該メモリに格納することができる。
【００６２】
ここで、サーバ５０には、予め次の登録（設定）が行われる。つまり、サーバ５０に対するユーザ設定、前記記録用データ格納のためにユーザにどの程度の記録容量を割り当てるかの設定、当該ユーザが有する各子機２０，３０の設定、および格納された記録用データを読み出すためのパスワード設定等が行われる。
【００６３】
次に、本実施の形態に係るドアホンシステム２００における記録用データのサーバ５０への格納動作について説明する。ここで、当該説明では、中継親機１０は、記録用データを一時的に格納することが可能な記録部（図示せず）を備えている。
【００６４】
各監視カメラ２０ｂ，３０ｂおよび玄関子機３０ａが、動画の撮像を行う。すると、各通信モジュール２０ｂ，３０ａ，３０ｂは、当該動画内容の映像データを中継親機１０に対して送信する。中継親機１０は、当該受信した映像データを自機が有する記録部（図示せず）に、記録用データとして格納する。ここで、ハンディ子機２０ｂや玄関子機３０ｂから送信されてくる音声データをも、当該記録用データとして上記記録部に格納しても良い。
【００６５】
そして、中継親機１０が所定の条件を満たしたとする。たとえば、中継親機１０が有する記録部が所定量以上の記録用データを格納したとする（一例として、記録部が記録用データで満たされた場合。換言すれば、記録用データにより記録部の容量が無くなった場合）。当該場合には、記録部に格納されていた記録データをサーバ５０に送信する。
【００６６】
サーバ５０では、受信した上記記録用データを自機が有するメモリ（図示せず）の所定の領域に格納する。たとえば、サーバ５０に、屋外監視カメラ３０ｂ用のフォルダと屋内監視カメラ用２０ｂのフォルダとが設定されている場合には、該当するフォルダに、振り分けて上記記録用データが格納される。そして、ユーザが予め登録されているパスワードを入力することにより、当該記録用データを読み出すことができ、外部に存するＰＣを用いて当該記録用データの再生・編集等を行うことができる。
【００６７】
以上のように、本実施の形態に係るドアホンシステム２００では、中継親機１０は、所定の条件を満たす場合に、映像データ（記録用データ）を外部に送信し、屋外の他の場所に設置されているサーバ５０が、当該記録用データを格納している。
【００６８】
したがって、たとえば上記所定の条件を防犯の観点から設定した場合には、防犯前後の映像データ等を、家屋等から離れたより安全な場所に設置されているサーバ５０に格納できる。つまり、映像データ等をより安全に保持することができる。
【００６９】
また、本実施の形態では、中継親機１０は、映像データ等の記録用データを一時的に格納することが可能な記録部を備えている。
【００７０】
したがって、家屋内に居ながらにしてユーザは、ある程度の量の映像データ等を再生等することができる。
【００７１】
また、本実施の形態では、中継親機１０は、自機の記録部が所定量以上の記録用データを格納した場合に、当該記録部に格納されていた記録データをサーバ５０に送信している。
【００７２】
したがって、中継親機１０は、大容量記録部を有する必要がなくなる。よって、中継親機１０の小型化および製造コストの削減を図ることができる。さらに、当該中継親機１０の効果を図りつつ、長時間分の映像データをサーバ５０において保存できる。
【００７３】
また、自宅とは別の場所（たとえば、災害等に耐え得るデータセンタ等）に、当該サーバ５０を設置することができる。これにより、火事等により自宅内のシステムを構成する各通信モジュール１０，２０，３０が破損したとしても、所定の記録用データをサーバ５０において、確保することができる。
【００７４】
＜実施の形態３＞
実施の形態２では、中継親機１０は、自機が有する記録部の空き容量の状況（所定の条件と把握できる）に応じて、サーバ５０に記録用データを送信するか否かを判断していた。
【００７５】
本実施の形態では、中継親機１０は、自機が有する記録部に対して消去操作がなされた（所定の条件と把握できる）場合に、当該操作以前に記録部に格納されていた記録用データをサーバ５０に送信する。
【００７６】
つまり、本実施の形態に係る中継親機１０は、自機の記録部に格納されていた記録用データを消去することが可能な消去手段を備えている。当該中継親機１０は、当該消去手段が操作された場合に、当該操作以前に記録部に格納されていた記録用データ（たとえば、消去の対象となる記録用データ）を、サーバ５０対して送信する。換言すれば、中継親機１０は、記録部内に格納されていた記録用データを、消去処理を行う前にサーバ５０にアップロードする。
【００７７】
本実施の形態に係るドアホンシステムは上記のように構成されているので、ユーザが誤って消去手段を操作したとしても、当該誤った操作に起因した記録用データの削除を防止することができる。
【００７８】
＜実施の形態４＞
本実施の形態は、中継親機１０がサーバ５０に対して記録用データを送信する「所定の条件」の、実施の形態２，３以外の態様に関するものである。
【００７９】
本実施の形態に係る中継親機１０は、自機が有する記録部に対して上書き操作がなされた（所定の条件と把握できる）場合に、当該操作前に記録部に既に格納されている記録用データをサーバ５０に送信する。
【００８０】
つまり、本実施の形態に係る中継親機１０は、自機の記録部に格納されていた記録用データを上書きすることができる（つまり、当該記録部は上書き可能である）。当該中継親機１０は、記録部の上書き開始前に、当該記録部に格納されていた記録用データ（たとえば、上書きの対象とっている既格納の記録用データ）を、サーバ５０対して送信する。
【００８１】
本実施の形態に係るドアホンシステムは上記のように構成されているので、データの上書き処理により、重要な映像データ等を消去されてしまうことを防止できる。
【００８２】
また、中継親機１０には、任意に設定可能な所定の周期が予め設定されている。当該中継親機１０は、当該所定の周期で記録部に格納されている記録用データの上書きを行う。ここで、中継親機１０は、当該上書き開始前に、記録部に格納されていた記録用データをサーバ５０に事前に送信する。
【００８３】
たとえば、上記所定の周期が「１日」であるとする。すると、第１日に撮影等された映像データ等は、中継親機１０内の記録部に格納される。そして、第２日のたとえば午前０時になると、中継親機１０は、まず第１日分の記録用データをサーバ５０にアップロードする。そして、当該アップロード後、中継親機１０は、第２日分の映像データ等の記録のために、上記記録部に対して記録用データの上書き処理を行う。
【００８４】
当該形態の場合にも、上記で説明した本実施の形態に係る効果と同様の効果を奏することができる。なお、上記所定の周期の設定は、ユーザが任意に変更できる。
【００８５】
＜実施の形態５＞
本実施の形態は、実施の形態３、４に係るドアホンシステムに依拠したものである。
【００８６】
つまり、本実施の形態においても、中継親機１０が有する記録部は、記録用データの消去・上書きは可能である。これに加えて、本実施の形態では、当該記録部は、格納期間が長い記録用データから順次、上書きまたは消去することができる。換言すれば、より古い記録用データから順に消去・上書きされる。
【００８７】
さらに、本実施の形態に係る中継親機１０は、記録用データの消去または上書きを行う場合には、記憶部における格納期間が所定の期間に満たない記録用データのみを、サーバ５０に送信する。
【００８８】
たとえば、中継親機１０に、上記所定の期間として「５日」という期間が予め設定・登録されていた状況を想定する。当該状況において、中継親機１０が有する記録部に格納されている記録用データの消去・上書きが行われるとする。
【００８９】
すると、中継親機１０は、当該消去・上書きの対象とっている記録用データの記録部における格納期間を検出する。そして、中継親機１０は、上記所定の期間（５日）と当該検出された格納期間とを比較する。
【００９０】
当該比較の結果、検出された格納期間が５日未満であれば、消去・上書き前に、中継親機１０は、当該消去・上書きの対象とっている記録用データを、サーバ５０に対して送信する。これに対して、検出された格納期間が５日以上であれば、記録用データをサーバ５０に送信すること無く、中継親機１０は、記録部に格納されている記録用データの消去・上書きを行う。
【００９１】
以上のように、本実施の形態に係るドアホンシステムでは、記録部は、格納期間が長い記録用データから順次、消去または上書きを行う。
【００９２】
したがって、比較的最近格納された記録用データを記憶部に残すことができ、格納期間が長いものから、たとえばサーバ５０に格納した上で、当該格納期間の長い記録用データの消去・上書きを行うことができる。
【００９３】
また、本実施の形態では、中継親機１０は、記録用データの消去または上書きを行う場合には、格納期間が所定の期間に満たない記録用データのみをサーバ５０に送信している。
【００９４】
通常、格納期間が長い記録用データを再度再生等することは無い。したがって、古い記録用データをサーバ５０に格納せず、新しい記録用データのみをサーバ５０に格納しているので、サーバ５０の容量の節約が可能となる。さらに、より再生等する可能性が高い記録用データのみをサーバ５０に格納することができる。
【００９５】
なお、上記所定の期間の日時等は、ユーザが任意の値に変更できる。
【００９６】
また、中継親機１０は、記録用データの消去または上書きを行う場合には、上記のように比較的格納期間の短いものの内、未だ再生されていていない記録用データのみを、サーバ５０に対して送信する態様も採用することができる。若しくは、中継親機１０は、格納期間に依存せず、未だ再生されていない記録用データのみをサーバ５０に対して送信する態様を採用しても良い。
【００９７】
たとえば、記録用データに含まれる再生の有無を示すフラグを、中継親機１０が自機の記録部に格納されている記録用データから検出する。そして、当該フラグが立っている（たとえば再生済み）の場合には、中継親機１０は、記録部に格納されていた記録用データのサーバ５０へのアップロードは行わない。これに対して、当該フラグが立っていない（未再生）の場合には、中継親機１０は、記録部に格納されていた記録用データのサーバ５０へのアップロードを実行する。
【００９８】
未だ再生されていない記録用データは、一般的に再生される可能性が高い。したがって、上記態様（未再生記録用データのみのサーバ５０へのアップロード）を採用することにより、上記同様に、再生等する可能性が高い記録用データのみをサーバ５０に格納することができる。
【００９９】
＜実施の形態６＞
本実施の形態は、中継親機１０がサーバ５０に対して記録用データを送信する「所定の条件」の、他の態様に関するものである。
【０１００】
本実施の形態に係る中継親機１０は、屋外監視カメラ３０ｂに異常があった（所定の条件と把握できる）場合に、異常検知後に取得した記録用データおよび記録部に既に格納されている記録用データ等をサーバ５０に送信する。
【０１０１】
本実施の形態では、屋外の様子を撮影することが可能な屋外監視カメラ３０ｂには、自機の異常（たとえば、当該自機の破壊、または自機の故障等）を検知することが可能な異常検知センサが備えられている。
【０１０２】
本実施の形態に係る中継親機１０は、当該異常検知センサからの異常信号を検知したときに、当該検知後に撮像等された記録用データおよび当該検知以前に中継親機１０の記録部に格納されていた記録用データを、サーバ５０に対して送信する。
【０１０３】
たとえば、泥棒が家屋内に侵入するに際して、自己の撮影を妨害する目的で、屋外監視カメラ３０ｂを破壊したとする。すると、屋外監視カメラ３０ｂの異常検知センサが異常を検知し、当該異常の旨を中継親機１０に対して通知する。当該通知を受信すると、中継親機１０は、それまで記録部に格納されていた記録用データをサーバ５０にアップロードする。
【０１０４】
さらに、未だ異常が検知されていない（つまり、正常に動作している）他の屋外監視カメラ３０ｂ、屋内監視カメラ２０ｂ等が存在する場合には、上記通知を受信した中継親機１０は、これらの通信モジュール２０ｂ，３０ｂ等から送信されてくる映像データ等を、記録部を介すること無く、記録用データとして直接サーバ５０に格納する。
【０１０５】
以上のように、本実施の形態に係るドアホンシステムでは、中継親機１０は、屋外監視カメラ３０ｂの異常を検知し、これに応じて、当該異常検知前後に取得した記録用データをサーバ５０に対して送信している。
【０１０６】
したがって、たとえば、屋外監視カメラ３０ｂを壊した上で屋内に侵入してきた泥棒が、屋内に存する中継親機１０を破壊したとしても、異常検知前の記録用データおよび、正常に動作している他のカメラ２０，３０からの映像データ等の確保を実行できる。つまり、後日の犯人の特定の可能性が非常に高くなる。当該犯罪の早期解決の観点において、ドアホンシステムのセキュリティ性の向上を図ることができる（要するに、ドアホンシステムを防犯システムとして汎用させることができ、システムの機能が飛躍的に向上する）。また、通常のドアホンシステムに防犯システムも盛り込むことにより、別個独立に各システムを設ける場合より、安価にシステムを提供できる。
【０１０７】
なお、各監視カメラ２０ｂ，３０ｂの存在により、事前に犯罪を防ぐ効果も当該ドアホンシステムが有していることは言うまでも無い。
【０１０８】
＜実施の形態７＞
本実施の形態は、中継親機１０がサーバ５０に対して記録用データを送信する「所定の条件」の、他の態様に関するものである。
【０１０９】
本実施の形態に係る中継親機１０は、災害緊急情報（ＥＷＳ：Ｅｍｅｒｇｅｎｃｙ  Ｗａｒｎｉｎｇ  Ｓｙｓｔｅｍ）を受信した（所定の条件と把握できる）場合に、当該受信後に取得した記録用データおよび記録部に既に格納されている記録用データ等をサーバ５０に送信する。
【０１１０】
本実施の形態に係る中継親機１０は、地上デジタル放送を受信できる外部情報受信部を備えている（つまり、デジタル放送受信用のチューナが搭載されている）。当該中継親機１０（より具体的には、上記外部情報受信部）が、災害に関する緊急情報（ＥＷＳ）を外部から受信する。すると、当該中継親機１０は、当該受信後に取得した記録用データおよび当該受信以前に中継親機１０が備える記録部に格納されたいた記録用データを、サーバ５０に対して送信する。
【０１１１】
たとえば、図３に示す構成において、放送局６０が地震発生の緊急情報を流す。ここで、図３では、放送局６０は、当該緊急情報は有線でインターネットを介して伝送している。しかし、放送局６０が、当該緊急情報を無線による電波伝送で送信する場合であっても良い。
【０１１２】
中継親機１０はデジタル放送が受信可能な外部情報受信部にて、当該緊急情報を受信する。すると、中継親機１０は、当該受信までに記録部（図示せず）に格納されていた記録用データを、サーバ５０にアップロードする。さらに、中継親機１０は、当該受信以後に他の通信モジュール２０，３０で撮影等された映像データ等を、記録部（図示せず）を介すること無く、記録用データとして直接サーバ５０に対して送信する。
【０１１３】
なお、ハンディ子機２０ａ（または中継親機１０）に表示部および音声出力部がある場合には、放送局６０から送信される緊急災害放送を視聴することもできる（図４参照。図４では、ハンディ子機２０ａにおいて緊急災害放送を視聴する場合である）。なお、前記までの構成（デジタル放送を受信可能な外部情報受信部、表示部、音声出力部等）を採用すれば、所定の通信モジュールを用いて、緊急時以外でも当然にデジタル放送は視聴できる。
【０１１４】
以上のように、本実施の形態に係るドアホンシステム３００では、中継親機１０は、災害緊急情報（ＥＷＳ）を受信した（所定の条件と把握できる）場合に、記録用データをサーバ５０に送信している。
【０１１５】
したがって、災害発生に起因して貴重な映像データ等を消失しないようにすることができる。さらに、災害発生後にたとえば監視カメラ２０ｂ，３０ｂで撮影された映像データを直接サーバ５０に送信されるので、災害発生後の防犯対策も可能とすることができる。つまり、災害発生後に、当該災害に乗じて不在となった家屋に侵入する者がいても、当該侵入者を早期に捜索することができる（犯罪の早期解決に繋がる）。
【０１１６】
＜実施の形態８＞
本実施の形態は、中継親機１０がサーバ５０に対して記録用データを送信する「所定の条件」の、他の態様に関するものである。
【０１１７】
本実施の形態に係る中継親機１０は、所定の入力操作が行われた（所定の条件と把握できる）場合に、当該入力操作以後に取得した記録用データをサーバ５０に送信する。
【０１１８】
本実施の形態に係る中継親機１０は、所定の入力部を備えている。そして、当該所定の入力部に対して入力操作が行われた場合に、中継親機１０は、当該入力操作以後に各通信モジュール２０，３０で撮影等された映像データ等（上記各実施の形態同様に音声データを含んでも良い）を、記録用データとしてサーバ５０に対して送信する。
【０１１９】
ここで、中継親機１０は記録部を有さず、上記入力操作が行われた場合のみ、当該入力操作後に取得した記録用データをサーバ５０に送信する構成を採用しても良い。他方、中継親機１０が記録部を有しており、上記入力操作が行われた場合は、記録用データをサーバ５０に直接送信し、入力操作が解除された場合や入力操作が行われていない場合には、当該記録部に記録用データを格納させる構成を採用しても良い。
【０１２０】
以上のように、本実施の形態に係るドアホンシステムでは、中継親機１０は、所定の入力操作が行われた（所定の条件と把握できる）場合に、当該入力操作以後に取得した記録用データをサーバ５０に送信する。
【０１２１】
したがって、たとえばユーザが長期間家を空ける場合に、当該ユーザが当該所定の入力部の入力操作を行えば、留守中の映像データ等を大容量のサーバ５０に格納させることができる。また、中継親機１０が記録部を有したとしても本実施の形態に係るドアホンシステムでは、当該記録部の容量は大容量である必要は無い（長期間の留守の場合の記録用データはサーバ５０に格納されるため）。なお、記録部を有する構成において、サーバ５０に対して記録用データを格納する場合は、上記入力操作を行う。他方、記録部に記録用データを格納する場合には、当該入力操作を解除する操作等を実施すれば良い。
【０１２２】
＜実施の形態９＞
上記各実施の形態に係るドアホンシステムでは、中継親機１０は、インターネットを介して外部に存するサーバ５０と接続されていた。
【０１２３】
本実施の形態に係るドアホンシステムでは、ルータ機能を有する複数の中継親機同士がインターネットを介して接続されている。そして、屋内子機には、ＩＰ電話機能付ハンディ子機が含まれている。以下、本実施の形態に係るドアホンシステムを図５を用いて詳細に説明する。
【０１２４】
図５に示すように、ルータ機能を有する中継親機１０は複数存在している（図５では図示簡略化のため、二つの中継親機１０Ａ１，１０Ａ２のみ図示している）。そして、当該中継親機１０の数に対応してネットワーク（図５では、ネットワークＮ１，Ｎ２）が、各々形成されている。
【０１２５】
つまり、一つの閉じられたネットワークＮ１，Ｎ２には、ルータ機能を有する一の中継親機１０が配設される（ルータ機能を有さない単なる中継親機は、一つのネットワークＮ１，Ｎ２に複数配設されていても良い）。たとえば、図５に示すように、ネットワークＮ１には、ルータ機能を有する一の中継親機１０Ａ１が配設される。また、ネットワークＮ２には、ルータ機能を有する他の一の中継親機１０Ａ２が配設される。
【０１２６】
また、本実施の形態では、屋内子機２０として、ＩＰ電話機能を有するＩＰ電話機能付ハンディ子機（電話機能付屋内子機と把握できる）２０ａ１，２０ａ２が、含まれている。ここで、中継親機１０Ａ１，１０Ａ２はルータ機能を有しているので、ＴＣＰ／ＩＰプロトコルでの通信を可能せしめるために、ＩＰ電話機能付ハンディ子機２０ａ１，２０ａ２は各々、「ＩＰ電話機能」を有している。これにより、中継親機１０Ａ１，１０Ａ２では、ＩＰアドレスに基づいたルーティングテーブルを作成できる。
【０１２７】
また、他の実施の形態でも同様であるが、同一のネットワーク内において、ハンディ子機２０ａを用いた通信（たとえば、同一のネットワークにおける監視カメラ２０ｂ，３０ｂ（または玄関子機３０ａ）とハンディ子機２０ａとの間の通信、または同一ネットワークに属するハンディ子機２０ａ間の通信等）を行うことができるように、当該ネットワークに属する中継親機１０に対して、当該ネットワークに属する所定のハンディ子機２０ａの設定（登録）を行う。
【０１２８】
より具体的に、図５に示すドアホンシステム４００では、中継親機１０Ａ１には、ネットワークＮ１に含まれているＩＰ電話機能付ハンディ子機２０ａ１が、登録される。同様に、中継親機１０Ａ２には、ネットワークＮ２に含まれているＩＰ電話機能付ハンディ子機２０ａ２が、登録される。
【０１２９】
これにより、上述の通り、ハンディ子機２０ａ１，２０ａ２を用いた同一ネットワークＮ１，Ｎ２内の通信が可能となる。
【０１３０】
なお、ハンディ子機２０ａ１，２０ａ２を用いて同一ネットワークＮ１，Ｎ２内に属する他の通信モジュール２０，３０等との通信を可能とするためには、もちろん、中継親機１０Ａ１，Ａ２には、同一ネットワークＮ１，Ｎ２に属する他の通信モジュール（監視カメラ２０ｂ１，３０ｂ１，２０ｂ２，３０ｂ２や玄関子機３０ａ１，３０ａ２）の登録も行われる。
【０１３１】
また、当然であるが、各通信モジュール２０，３０が通信可能範囲内に存する限り、同一ネットワークＮ１，Ｎ２内において、各通信モジュール２０，３０間の通信は行える。たとえば、無線の場合にはその通信範囲に限界があるので、当該通信範囲外にでると、同一ネットワークＮ１，Ｎ２に属する通信モジュール２０，３０間であっても、無線による通信は行えない。
【０１３２】
さて、上記に加えて本実施の形態に係るドアホンシステム４００では、異なるネットワークＮ１，Ｎ２間において、ＩＰ電話機能付ハンディ子機２０ａ１．２０ａ２を用いた通信（ネットワークＮ１−ネットワークＮ２間における動画像を見ながらのＩＰ電話機能付ハンディ子機２０ａ１，２０ａ２間の通話、ネットワークＮ１−ネットワークＮ２間における監視カメラ２０ｂ，３０ｂ（または玄関子機３０ａ）とＩＰ電話機能付ハンディ子機２０ａ１，２０ａ２と間の通信等）を行うことができるように、各中継親機１０Ａ１，１０Ａ２に対して、異なるネットワークに属する所定のＩＰ電話機能付ハンディ子機２０ａ１，２０ａ２の設定（登録）を行う。
【０１３３】
より具体的に、図５に示すシステム４００において、中継親機１０Ａ１には、自機が属する所定のネットワークＮ１と異なる他のネットワークＮ２（当該他のネットワークＮ２は、所定のネットワークＮ１との通信を行いたいネットワークである）に含まれえている、ＩＰ電話機能付ハンディ子機２０ａ２が、登録される。同様に、中継親機１０Ａ２には、自機が属する所定のネットワークＮ２と異なる他のネットワークＮ１（当該他のネットワークＮ１は、所定のネットワークＮ２との通信を行いたいネットワークである）に含まれえている、ＩＰ電話機能付ハンディ子機２０ａ１が、登録される。
【０１３４】
以上により、本実施の形態に係るドアホンシステム４００では、ＩＰ電話機能付ハンディ子機２０ａ１，２０ａ２を用いた、異なるネットワーク間（ネットワークＮ１−ネットワークＮ２間）の通信が可能となる。
【０１３５】
たとえば、上記構成の各中継親機１０Ａ１，１０Ａ２対して、ＩＰ電話機能付ハンディ子機２０ａ２の登録を行う。なお、中継親機１０Ａ１には、ネットワークＮ１に属する他の通信モジュール２０ａ１，２０ｂ１，３０ａ１，３０ｂ１の登録も行われている。
【０１３６】
すると、ネットワークＮ２に属するＩＰ電話機能付ハンディ子機２０ａ２を用いて（つまり離れた場所から）、ネットワークＮ１に属する各監視カメラ２０ｂ１，３０ｂ１の映像を視認することができる。また、ネットワークＮ２に属するＩＰ電話機能付ハンディ子機２０ａ２を用いて（つまり離れた場所から）、ネットワークＮ１に属する玄関子機３０ａ１からの映像および音声を受信できる。さらには、ネットワークＮ２に属するＩＰ電話機能付ハンディ子機２０ａ２を用いて（つまり離れた場所から）、ネットワークＮ１に属するＩＰ電話機能付ハンディ子機２０ａ１と通話（通信）することができる。
【０１３７】
、上記構成の各中継親機１０Ａ１，１０Ａ２対して、ＩＰ電話機能付ハンディ子機２０ａ１の登録を行う。なお、中継親機１０Ａ２には、ネットワークＮ２に属する他の通信モジュール２０ａ２，２０ｂ２，３０ａ２，３０ｂ２の登録も行われている。
【０１３８】
すると、ネットワークＮ１に属するＩＰ電話機能付ハンディ子機２０ａ１を用いて（つまり離れた場所から）、ネットワークＮ２に属する各監視カメラ２０ｂ２，３０ｂ２の映像を視認することができる。また、ネットワークＮ１に属するＩＰ電話機能付ハンディ子機２０ａ１を用いて（つまり離れた場所から）、ネットワークＮ２に属する玄関子機３０ａ２からの映像および音声を受信できる。さらには、ネットワークＮ１に属するＩＰ電話機能付ハンディ子機２０ａ１を用いて（つまり離れた場所から）、ネットワークＮ２に属するＩＰ電話機能付ハンディ子機２０ａ２と通話（通信）することができる。
【０１３９】
なお、図５とは異なり、ネットワークＮ１，Ｎ２以外の別のネットワークが存在し、当該別のネットワークに属するＩＰ電話機能付ハンディ子機から、たとえばネットワークＮ１に属するＩＰ電話機能付ハンディ子機２０ａ１に通話を要求したとする。しかし、ネットワークＮ１に属する中継親機１０Ａ１は当該要求を拒否し、通話は成立しない。なぜなら、中継親機１０Ａ１に当該別のネットワークに属するＩＰ電話機能付ハンディ子機の登録を行っていないからである。
【０１４０】
以上のように、本実施の形態に係るドアホンシステム４００では、通常の訪問者との対応のためのドアホンとしての機能だけでなく、他のネットワーク（遠く離れた別家屋）のユーザとの通信も行えることができる。つまり、ドアホンシステム４００の汎用性が向上する。
【０１４１】
また、たとえばネットワークＮ２（遠く離れた別家屋）から当該ネットワークＮ２に属するＩＰ電話機能付ハンディ子機２０ａ２を用いて、自宅に訪問してきた訪問者（自宅のネットワークＮ１の属する玄関子機３０ａ１付近居る人物）等との通信も行える。さらには、自宅（ネットワークＮ１）への侵入者もネットワークＮ２から察知することもできるので、セキュリティ性の高いドアホンシステム４００を提供することができる。
【０１４２】
なお、上記各実施の形態では、ルータ機能を有する中継親機１０，１０Ａ１は、サーバ５０、放送局５０または、他のルータ機能有する中継親機１０Ａ２と接続されていた。しかし、たとえば、ルータ機能を有する中継親機１０は、インターネットを介して携帯電話機と接続可能としても良い。
【０１４３】
当該場合には、たとえば携帯電話機のユーザが所定の中継親機１０に電話をかけることにより、当該中継親機１０と同じネットワークに属する各通信モジュール１０，２０，３０と当該携帯電話とが、通信を行えることができる。たとえば、外出先から当該システムのユーザは、携帯電話機の表示部や音声入出力部を介して、玄関子機３０ａ付近に居る訪問者の対応を行うことができる。
【図面の簡単な説明】
【０１４４】
【図１】実施の形態１に係るドアホンシステムの構成を示す図である。
【図２】実施の形態２に係るドアホンシステムの構成を示す図である。
【図３】実施の形態７に係るドアホンシステムの構成を示す図である。
【図４】ハンディ子機の表示部を通じてデジタル放送を視聴できることを示す図である。
【図５】実施の形態９に係るドアホンシステムの構成を示す図である。
【符号の説明】
【０１４５】
１０，１０Ａ１，１０Ａ２  （ルータ機能を有する）中継親機
２０  屋内子機
２０ａ  ハンディ子機
２０ａ１，２０ａ２  ＩＰ電話機能付ハンディ子機
２０ｂ  屋内監視カメラ
３０  屋外子機
３０ａ  玄関子機
３０ｂ  屋外監視カメラ
５０  サーバ
６０  放送局
Ｎ１，Ｎ２  ネットワーク
１００，２００，３００  ドアホンシステム
【図１】
2008124696.tif 000003
【図２】
2008124696.tif 000004
【図３】
2008124696.tif 000005
【図４】
2008124696.tif 000006
【図５】
2008124696.tif 000007